Podtech/llm-jp-corpus-v4-ja_patent huggingface dataset:
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
制御コマンドを出力する遊技制御手段と、
前記制御コマンドに応じた演出制御を行う演出制御手段と、
前記演出制御に応じた演出音を、所定のボリューム値に応じた音量で音声出力手段に出力させる制御を行う音声制御手段と、を備え、
前記演出音は、同時に出力される場合に音量を優先される優先演出音と、優先されない非優先演出音とを含み、
前記音声制御手段は、前記優先演出音と、前記非優先演出音と、を同時に出力させる場合には、前記非優先演出音の音量を下げる制御を行うことを特徴とする遊技機。
【手続補正２】
【補正対象書類名】明細書
【補正対象項目名】０００７
【補正方法】変更
【補正の内容】
【０００７】
本発明は、上述の課題を解決するためになされたものであり、以下の形態により実現することが可能である。
第１の形態の遊技機は、制御コマンドを出力する遊技制御手段と、前記制御コマンドに応じた演出制御を行う演出制御手段と、前記演出制御に応じた演出音を、所定のボリューム値に応じた音量で音声出力手段に出力させる制御を行う音声制御手段と、を備え、前記演出音は、同時に出力される場合に音量を優先される優先演出音と、優先されない非優先演出音とを含み、前記音声制御手段は、前記優先演出音と、前記非優先演出音と、を同時に出力させる場合には、前記非優先演出音の音量を下げる制御を行う遊技機を特徴とする。
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
制御コマンドを出力する遊技制御手段と、
前記制御コマンドに応じた演出制御を行う演出制御手段と、
前記演出制御に応じた演出音を、所定のボリューム値に応じた音量で音声出力手段に出力させる制御を行う音声制御手段と、を備え、
前記音声制御手段は、特定の演出音を出力させているときに他の演出音を出力させる場合には、前記特定の演出音の音量を下げる制御を行うことを特徴とする遊技機。
【手続補正２】
【補正対象書類名】明細書
【補正対象項目名】０００７
【補正方法】変更
【補正の内容】
【０００７】
本発明は、上述の課題を解決するためになされたものであり、以下の形態により実現することが可能である。
第１の形態の遊技機は、制御コマンドを出力する遊技制御手段と、前記制御コマンドに応じた演出制御を行う演出制御手段と、前記演出制御に応じた演出音を、所定のボリューム値に応じた音量で音声出力手段に出力させる制御を行う音声制御手段と、を備え、前記音声制御手段は、特定の演出音を出力させているときに他の演出音を出力させる場合には、前記特定の演出音の音量を下げる制御を行う遊技機を特徴とする。
【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
インクジェットマニホールドと、
流路と、
を備えた装置であって、
前記インクジェットマニホールドは、
インク供給部に連結されている少なくとも１つのインク供給ポートと、
少なくとも１つのインク分配ポートと、
を備え、
前記流路は、
前記インク供給ポートと前記インク分配ポートの間に配設されており、
インクのパルス状洗浄フローに応答して汚染粒子を捕集することを容易にするように構成された第１の特徴と、
前記第１の特徴と異なり、インクのオペレーショナルフロー中に前記汚染粒子を保持するように構成された第２の特徴と、
を備えるトラップを備え、
前記汚染粒子と前記インクとの間の相対的濃度によって、前記汚染粒子がトラップ内に集まり、
前記パルス状洗浄フローは、
前記汚染粒子が前記トラップに移動することを容易にするハイフローと、
前記汚染粒子が前記トラップに沈降することを容易にするローフローと、
を備え、
前記ローフローの持続時間は、前記ハイフローの持続時間よりも長い、
装置。
【請求項２】
前記インク供給ポートと前記インク分配ポートの間のフロー方向に沿って配置されている１つ以上の細長い隆起を更に含み、前記１つ以上の細長い隆起の各々が前記細長い隆起の下流端でトラップ部材を含む、請求項１に記載の装置。
【請求項３】
前記インクジェットマニホールドの前記流路が平面状であり、前記トラップが前記流路の平面状表面内に１つ以上の凹部を含む請求項１に記載の装置。
【請求項４】
前記インクジェットマニホールドの前記流路が平面状であり、前記トラップが前記流路の２つの平面状表面間に配設されている端壁内に１つ以上の凹部を含む請求項１に記載の装置。
【請求項５】
前記ハイフローと前記ローフローは洗浄サイクルの一部として繰り返される請求項１に記載の装置。
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
画質が改良された反射印刷システムであって、
２色以上のインクを媒体基材または中間ベルトへ付着させるための二つ以上のプリントヘッドと、
前記二つ以上のプリントヘッドを通過して媒体経路に沿ってプロセス方向へ前記媒体基材を移動させるための媒体搬送体であって、内部表面、外部表面、およびベルト速度を有する媒体搬送ベルトを含む、媒体搬送体と、
前記媒体搬送ベルトまたは前記ベルトによって搬送されている媒体の外部表面に接触して前記外部表面の速度を測定するデバイスであって、前記媒体搬送ベルトまたは前記媒体の測定された速度に対応する電気信号を送信する、デバイスと、
前記測定された速度に対する前記電気信号を受信し、前記測定された速度に基づいて前記二つ以上のプリントヘッドへプリントコマンドを送信するためのコントローラと、
を含み、
前記二つ以上のプリントヘッドによって前記媒体基材または前記中間ベルトに付着された２色以上のインクの少なくとも２色のインクが互いに対してカラーレジストレーションされている、
反射印刷システム。
【請求項２】
前記デバイスが光学エンコーダである請求項１に記載の画質が改良された反射印刷システム。
【請求項３】
前記光学エンコーダが前記媒体搬送ベルトまたは前記媒体基材に回転可能に接触するホイールを含む請求項２に記載の画質が改良された反射印刷システム。
【請求項４】
前記コントローラが前記二つ以上のプリントヘッドの印字の周波数をコントロールする請求項１に記載の画質が改良された反射印刷システム。
【請求項５】
前記コントローラが所定の速度から測定された速度のばらつきを算出して速度偏差を提供して前記速度偏差に基づいて前記二つ以上のプリントヘッドへプリントコマンドを送信する請求項１に記載の画質が改良された反射印刷システム。
【請求項６】
前記媒体基材または前記中間ベルトに付着された前記インクが１０〜１００ミクロンのカラーレジストレーションを有している請求項１に記載の画質が改良された反射印刷システム。
【請求項７】
前記媒体基材または前記中間ベルトに付着された前記インクが１０〜５０ミクロンのカラーレジストレーションを有している請求項１に記載の画質が改良された反射印刷システム。
【請求項８】
前記媒体基材または前記中間ベルトに付着された前記インクが１０〜２０ミクロンのカラーレジストレーションを有している請求項１に記載の画質が改良された反射印刷システム。
【請求項９】
前記媒体基材または前記中間ベルトに付着された前記インクが１５ミクロン未満のカラーレジストレーションを有している請求項１に記載の画質が改良された反射印刷システム。
【請求項１０】
前記インクは少なくとも４つのプリントヘッドシステムによって前記媒体基材または前記中間ベルトへ付着され１０〜２０ミクロンのカラーレジストレーションを有している請求項１に記載の画質が改良された反射印刷システム。
【請求項１１】
前記媒体基材または前記中間ベルトは、真空力または静電力を用いて前記ベルトの表面にタッキングされる、請求項１に記載の画質が改良された反射印刷システム。
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
（ａ）アモルファス樹脂、少なくとも２種類の溶媒、塩基および水を合わせて、該樹脂とこれに混ぜ合わせた溶媒との比率が、約１０：７〜約１０：２０（ｗｔ：ｗｔ）である混合物を作成することと、
（ｂ）アモルファス樹脂のＴg付近またはＴgより高い温度で混合物を加熱し、エマルションを作成することと、
（ｃ）エマルションから溶媒を蒸発させることとを含み、
得られた樹脂ラテックスは、粒径が１００ｎｍ以下である、方法。
【請求項２】
前記アモルファス樹脂が、分子量（Ｍｗ）が約３５，０００〜約１５０，０００である高分子量樹脂または分子量（Ｍｗ）が約１０，０００〜約３０，０００である低分子量樹脂を含む、請求項１に記載の方法。
【請求項３】
前記樹脂が、コポリ（エチレン−テレフタレート）−コポリ（エチレン−５−スルホ−イソフタレート）、コポリ（ジエチレン−テレフタレート）−コポリ（プロピレン−５−スルホ−イソフタレート）、コポリ（ジエチレン−テレフタレート）−コポリ（ジエチレン−５−スルホ−イソフタレート）、コポリ（プロピレン−ジエチレン−テレフタレート）−コポリ（プロピレン−ジエチレン−５−スルホイソフタレート）、コポリ（プロピレン−ブチレン−テレフタレート）−コポリ（プロピレン−ブチレン−５−スルホ−イソフタレート）、コポリ（プロポキシル化ビスフェノールＡ−フマレート）−コポリ（プロポキシル化ビスフェノールＡ−５−スルホ−イソフタレート）、コポリ（エトキシ化ビスフェノールＡ−フマレート）−コポリ（エトキシ化ビスフェノールＡ−５−スルホ−イソフタレート）、およびコポリ（エトキシ化ビスフェノールＡ−マレアート）−コポリ（エトキシ化ビスフェノールＡ−５−スルホ−イソフタレート）、ポリ（プロポキシル化ビスフェノールｃｏ−フマレート）、ポリ（エトキシ化ビスフェノールｃｏ−フマレート）、ポリ（ブチルオキシ化ビスフェノールｃｏ−フマレート）、ポリ（ｃｏ−プロポキシル化ビスフェノールｃｏ−エトキシ化ビスフェノールｃｏ−フマレート）、ポリ（１，２−プロピレンフマレート）、ポリ（プロポキシル化ビスフェノールｃｏ−マレアート）、ポリ（エトキシ化ビスフェノールｃｏ−マレアート）、ポリ（ブチルオキシ化ビスフェノールｃｏ−マレアート）、ポリ（ｃｏ−プロポキシル化ビスフェノールｃｏ−エトキシ化ビスフェノールｃｏ−マレアート）、ポリ（１，２−プロピレンマレアート）、ポリ（プロポキシル化ビスフェノールｃｏ−イタコネート）、ポリ（エトキシ化ビスフェノールｃｏ−イタコネート）、ポリ（ブチルオキシ化ビスフェノールｃｏ−イタコネート）、ポリ（ｃｏ−プロポキシル化ビスフェノールｃｏ−エトキシ化ビスフェノールｃｏ−イタコネート）、ポリ（１，２−プロピレンイタコネート）の金属塩またはアルカリ塩およびこれらの組み合わせからなる群から選択される、請求項１に記載の方法。
【請求項４】
前記溶媒が、メタノール、エタノール、イソプロパノール、ブタノール、エチレングリコール、グリセロール、ソルビトール、アセトン、２−ブタノン、２−ペンタノン、３−ペンタノン、エチルイソプロピルケトン、メチルイソブチルケトン、ジイソブチルケトン、メチルエチルケトン、ジメチルホルムアミド、ジメチルアセトアミド、Ｎ−メチルピロリドン、１，２−ジメチル−２−イミダゾリジノン、アセトニトリル、プロピオニトリル、ブチロニトリル、イソブチロニトリル、バレロニトリル、ベンゾニトリル、ジｔｅｒｔブチルエーテル、ジメトキシエタン、２−メトキシエチルエーテル、１，４−ジオキサン、テトラヒドロフラン、モルホリン、メチルスルホニルメタン、スルホラン、ジメチルスルホキシド、ヘキサメチルホスホラミド、ベンゼンエステルおよびアミンからなる群から選択される、請求項１に記載の方法。
【請求項５】
前記少なくとも２種類の溶媒が、約１：２〜約１：１５（ｗｔ：ｗｔ）の比率で存在する、請求項１に記載の方法。
【請求項６】
前記少なくとも２種類の溶媒が、メチルエチルケトンとイソプロピルアルコールとを含む、請求項１に記載の方法。
【請求項７】
前記アモルファス樹脂が低分子量樹脂であるとき、樹脂、第１の溶媒および第２の溶媒は、約１０：７：１．９（ｗｔ：ｗｔ：ｗｔ）の比率で存在する、請求項１に記載の方法。
【請求項８】
前記アモルファス樹脂が高分子量樹脂であるとき、樹脂、第１の溶媒および第２の溶媒は、約１０：９：２．５（ｗｔ：ｗｔ：ｗｔ）の比率で存在する、請求項１に記載の方法。
【請求項９】
前記塩基が、水酸化アンモニウム、水酸化カリウム、水酸化ナトリウム、炭酸ナトリウム、炭酸水素ナトリウム、水酸化リチウム、炭酸カリウム、炭酸水素カリウム、二級アミンであって、アジリジン、アゼチジン、ピペラジン、ピペリジン、ピリジン、ビピリジン、ターピリジン、ジヒドロピリジン、モルホリン、Ｎ−アルキルモルホリン、１，４−ジアザビシクロ［２．２．２］オクタン、１，８−ジアザビシクロウンデカン、１，８−ジアザビシクロウンデセン、ジメチル化ペンチルアミン、トリメチル化ペンチルアミン、ピリミジン、ピロール、ピロリジン、ピロリジノン、インドール、インドリン、インダノン、ベンズイミダゾン、イミダゾール、ベンズイミダゾール、イミダゾロン、イミダゾリン、オキサゾール、イソオキサゾール、オキサゾリン、オキサジアゾール、チアジアゾール、カルバゾール、キノリン、イソキノリン、ナフチリジン、トリアジン、トリアゾール、テトラゾール、ピラゾール、ピラゾリン、およびこれらの組み合わせからなる群から選択される、請求項１に記載の方法。
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
温度１４０℃での粘度が１２ｃｐ未満であり、室温での粘度が１×１０６ｃｐより大きい結晶性成分と；
温度１４０℃での粘度が１００ｃｐ未満であり、室温での粘度が１×１０６ｃｐより大きいアモルファス成分と；
蛍光材料と；を含み、
非蛍光着色剤を更に含むか又は含まない、相変化インクであって、
活性化波長における前記蛍光化合物の吸光度とインクのその他の成分の吸光度との比率が１より大きい、相変化インク。
【請求項２】
連続する用紙が貼り付くことなく、且つ用紙を切断および／または積み重ねるのを遅らせる必要なく、供給される用紙に直接的に又は連続印刷デバイスを用いて１分あたり２００ページ以上のスピードで印刷することが可能な、請求項１に記載の相変化インク。
【請求項３】
前記結晶性成分及び前記アモルファス成分はそれぞれ６５：３５〜９５：５の重量比で混合される、請求項１に記載の相変化インク。
【請求項４】
前記結晶性成分及び前記アモルファス成分はそれぞれ７０：３０〜９０：１０の重量比で混合される、請求項３に記載の相変化インク。
【請求項５】
前記結晶性成分は、
【化１】
2014136800.tif 000001
それらの立体異性体及びそれらの混合物からなる群より選択される、請求項１に記載の相変化インク。
【請求項６】
前記アモルファス成分は、
【化２】
2014136800.tif 000002
それらの立体異性体及びそれらの混合物からなる群より選択される、請求項１に記載の相変化インク。
【請求項７】
前記蛍光材料は相変化インクの合計重量の０．０１重量％〜１５重量％の量で存在する、請求項１に記載の相変化インク。
【請求項８】
前記蛍光材料は蛍光染料、蛍光ナノ顔料、およびそれらの混合物からなる群より選択される、請求項１に記載の相変化インク。
【請求項９】
前記蛍光染料はローダミン、フルオレセイン、クマリン、ナフタルイミド、ベンゾキサンテン、アクリジン、アゾ、希土類金属イオンの配位錯体、及びそれらの混合物からなる群より選択される、請求項８に記載の相変化インク。
【請求項１０】
前記蛍光ナノ顔料は：
（ａ）少なくとも１つの官能性部分を有し、ベンゾチオキサンテン誘導体である蛍光化合物、及び少なくとも１つの官能基を有する安定化剤化合物；ここで、前記官能性部分は前記少なくとも１つの官能基と非共有結合によって結合している、
（ｂ）１種類以上の架橋ポリマー樹脂を含むポリマーマトリックス及び１種類以上の蛍光染料を含む複合ナノ粒子であって、前記蛍光染料は前記ポリマーマトリックス中に組み込まれている、複合ナノ粒子；
並びにそれらの混合物、
からなる群より選択される、請求項８に記載の相変化インク。
【請求項１１】
前記蛍光ナノ顔料は粒径が５００ｎｍ未満である、請求項８に記載の相変化インク。
【請求項１２】
物品の信頼性を確認するための方法であって：
インクジェット印刷装置で使用するための相変化インクを付与することと；
インクジェット印刷装置内で前記相変化インクを使用して、物品の上に文字または画像を形成することと；
前記物品の上に形成した文字または画像に紫外線を照射することと；
紫外線を照射したときに、形成した文字または画像の色変化によって物品の信頼性を確認することと、
を含み、
前記相変化インクは、
温度１４０℃での粘度が１２ｃｐ未満であり、室温での粘度が１×１０６ｃｐより大きい結晶性成分と、
温度１４０℃での粘度が１００ｃｐ未満であり、室温での粘度が１×１０６ｃｐより大きいアモルファス成分と、
蛍光材料と、を含み、
非蛍光着色剤を更に含むか又は含まない、相変化インクであって、連続する用紙が貼り付くことなく、且つ用紙を切断および／または積み重ねるのを遅らせる必要なく、供給される用紙に直接的に又は連続印刷デバイスを用いて１分あたり２００ページ以上のスピードで印刷することが可能な、
方法。
【請求項１３】
前記色変化は無色状態から着色状態への変化である、請求項１２に記載の方法。
【請求項１４】
前記色変化は着色状態から異なる色の着色状態への変化である、請求項１２に記載の方法。
【請求項１５】
紫外線が取り除かれると前記色変化は可逆的である、請求項１２に記載の方法。
【請求項１６】
前記物品は包装容器、文書、又はラベルである、請求項１２に記載の方法。
【請求項１７】
前記蛍光材料は前記相変化インクの合計重量の０．０１重量％〜１５重量％の量で存在する、請求項１２に記載の方法。
【請求項１８】
前記蛍光材料は蛍光染料、蛍光ナノ顔料、及びそれらの混合物からなる群より選択される、請求項１２に記載の方法。
【請求項１９】
温度１４０℃での粘度が１２ｃｐ未満であり、室温での粘度が１×１０６ｃｐより大きい結晶性成分と；
温度１４０℃での粘度が１００ｃｐ未満であり、室温での粘度が１×１０６ｃｐより大きいアモルファス成分と；
蛍光材料と；を含み、
非蛍光着色剤を更に含むか又は含まない、相変化インクであって、
前記蛍光材料は蛍光染料、蛍光ナノ顔料、及びそれらの混合物からなる群より選択され、前記蛍光ナノ顔料は、
（ａ）少なくとも１つの官能性部分を有し、ベンゾチオキサンテン誘導体である蛍光化合物、及び少なくとも１つの官能基を有する安定化剤化合物；ここで、前記官能性部分は前記少なくとも１つの官能基と非共有結合によって結合している、
（ｂ）１種類以上の架橋ポリマー樹脂を含むポリマーマトリックス及び１種類以上の蛍光染料を含む複合ナノ粒子であって、前記蛍光染料は前記ポリマーマトリックス中に組み込まれている、複合ナノ粒子、
並びにそれらの混合物、
からなる群より選択される、相変化インク。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
インクジェット式印字ヘッドを作成する方法であって、
（ａ）隔膜プレートに接着剤により接着した複数の圧電変換器を有する隔膜プレートを供給するステップと、
（ｂ）封止剤の薄膜を前記圧電変換器上に配置するステップと、
（ｃ）前記封止剤が前記接着剤を密封するのに十分な程度の、熱、圧力、または熱と圧力の組み合わせを、前記封止剤の薄膜に加えるステップと、を含む方法。
【請求項２】
前記接着剤が酸化にさらされる、請求項１に記載の方法。
【請求項３】
前記接着剤がエポキシ樹脂である、請求項１に記載の方法。
【請求項４】
前記封止剤がポリアミドイミドである、請求項１に記載の方法。
【請求項５】
前記封止剤がシロキシサン変形ポリアミドイミドである、請求項１に記載の方法。
【請求項６】
前記封止剤が２ＧＰａ以下のヤング率を有する、請求項１に記載の方法。
【請求項７】
前記封止剤が熱硬化性材料である、請求項１に記載の方法。
【請求項８】
前記封止剤が熱可塑性材料である、請求項１に記載の方法。
【請求項９】
前記封止剤が少なくとも２５℃であり、かつ５００℃以下の融点を有する、請求項１に記載の方法。
【請求項１０】
前記封止剤が少なくとも２５℃であり、かつ５００℃以下のリフロー点を有する、請求項１に記載の方法。
【請求項１１】
前記封止剤が少なくとも２５℃であり、かつ５００℃以下の軟化点を有する、請求項１に記載の方法。
【請求項１２】
前記封止剤が少なくとも２５℃であり、かつ５００℃以下のガラス転移温度を有する、請求項１に記載の方法。
【手続補正２】
【補正対象書類名】明細書
【補正対象項目名】発明の名称
【補正方法】変更
【補正の内容】
【発明の名称】インクジェット式印字ヘッドを作成する方法
【手続補正３】
【補正対象書類名】明細書
【補正対象項目名】００２４
【補正方法】変更
【補正の内容】
【００２４】
別の実施形態では、具体的には、印字ヘッドの動作温度が熱可塑性材料の融点より低い場合は、封止剤の材料は熱可塑性材料でよい。この実施形態では、この熱可塑性材料は、類似する熱硬化性材料が硬化するための好適な温度に近い温度にさらされる。
【手続補正４】
【補正対象書類名】明細書
【補正対象項目名】００２５
【補正方法】変更
【補正の内容】
【００２５】
封止剤は、ゲル状、結晶状、半結晶状、または非結晶状でよく、好適な材料の混合物も使用可能である。したがって、好適な融点、軟化点、およびガラス転移点は、特定な実施形態に関して提供される。
【手続補正５】
【補正対象書類名】明細書
【補正対象項目名】００２６
【補正方法】変更
【補正の内容】
【００２６】
封止剤の材料の融点は、一実施形態では、少なくとも約２５℃、別の実施形態では少なくとも約５０℃、さらに別の実施形態では少なくとも約１００℃であり得、一実施形態では約５００℃以下、別の実施形態では約４００℃以下、さらに別の実施形態では約３００℃以下であり得る。
【手続補正６】
【補正対象書類名】明細書
【補正対象項目名】００３０
【補正方法】変更
【補正の内容】
【００３０】
スタックプレスは、封止剤の材料の望ましい流動性能を達成するのに十分な時間だけ、一定の温度および圧力で動作する。この温度および圧力は、封止剤として用いられる特定な材料に依存し、通常は封止剤の製造業者による取扱い説明書から供給される。非結晶状の材料の場合、この温度は通常Ｔｇより高く、熱可塑性材料の融点より低い。ＨＩＴＡＣＨＩ製のＫＳ６６００に関する好適な時間、温度、および圧力条件の例では、２９０℃で３０分間２００ポンド毎平方インチ（ｐｓｉ）の圧力をかける。
【手続補正書】
【提出日】平成28年12月29日(2016.12.29)
【手続補正１】
【補正対象書類名】特許請求の範囲
【補正対象項目名】全文
【補正方法】変更
【補正の内容】
【特許請求の範囲】
【請求項１】
プリンタであって、
水性インクを射出するように構成された印字ヘッドと、
中間画像表面を有する回転部材であって、前記回転部材は前記印字ヘッドの前で前記中間画像表面を回転させるように設置されて、前記印字ヘッドが前記中間画像表面上にインクを射出して、印刷サイクルの間に水性インク画像を形成できるようにする回転部材と、
前記中間画像表面上に射出した水性インク画像を少なくとも部分的に乾燥させるように構成された乾燥器と、
前記中間画像表面とともにニップを形成して、媒体が前記ニップを通り抜けるときに、前記中間画像表面上の前記少なくとも部分的に乾燥した水性インク画像が前記媒体の方へ移動できるように構成された転写ローラと、
電場を発生させて、励起された粒子を作り出して前記中間画像表面の方へ導くように構成された表面エネルギーアプリケータであって、前記表面エネルギーアプリケータは、前記水性インクを前記媒体に転写した後、および前記励起された粒子で処理する前記中間画像表面上に前記印字ヘッドが水性インクを射出する前に、前記励起された粒子を前記中間画像表面の方へ導くように設置される、表面エネルギーアプリケータと、
前記中間画像表面の画像データを生成するように設置された光学センサと、
前記光学センサと前記表面エネルギーアプリケータとに動作接続されたコントローラであって、前記コントローラは、前記光学センサが生成した前記画像データを処理して、前記中間画像表面上のインク滴に関するインク滴の広がりを測定し、前記測定されたインク滴の広がりが所定の閾値よりも小さいことに呼応して、前記表面エネルギーアプリケータに供給する電力を調整するように構成される、コントローラと、を含むプリンタ。
【請求項２】
前記コントローラは、前記測定されたインク滴の広がりが他の所定の閾値よりも大きいことに呼応して、前記表面エネルギーアプリケータに供給する電力を調整するようにさらに構成される、請求項１に記載のプリンタ。
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
１４０℃の温度で粘度が１２ｃＰ未満であり、かつ室温で粘度が１×１０６ｃＰを超える結晶性成分と、
１４０℃の温度で粘度が１００ｃＰ未満であり、かつ室温で粘度が１×１０６ｃＰを超えるアモルファス成分と、
フォトクロミック材料と、
着色剤と、
を含む相転移インク。
【請求項２】
直接的紙シートフィード装置または連続印刷装置により、１分あたり２００ページ以上の速度で印刷されることができ、連続する紙はくっつくこともなく、シートをカットする、および／または積み重ねる前に、進行を遅らせる必要もない、請求項１に記載の相転移インク。
【請求項３】
活性化波長にて、フォトクロミック化合物とインクの残留成分との吸光度の比率は、１よりも大きい、請求項１又は請求項２に記載の相転移インク。
【請求項４】
結晶性成分およびアモルファス成分がそれぞれ６５：３５〜９５：５の重量比で混合されている、請求項１〜請求項３のいずれか１項に記載の相転移インク。
【請求項５】
結晶性成分が下記化合物およびこれらの立体異性体、ならびにこれらの混合物からなる群から選択される、請求項１〜請求項４のいずれか１項に記載の相転移インク。
【化１】
2014136803.tif 000001
【請求項６】
アモルファス成分が下記化合物およびこれらの立体異性体、ならびにこれらの混合物からなる群から選択される、請求項１〜請求項５のいずれか１項に記載の相転移インク。
【化２】
2014136803.tif 000002
【請求項７】
フォトクロミック材料が、相転移インクの総重量の１〜１５重量％の量で存在する、請求項１〜請求項６のいずれか１項に記載の相転移インク。
【請求項８】
フォトクロミック材料が、相転移インクの総重量の１〜１０重量％の量で存在する、請求項１〜請求項７のいずれか１項に記載の相転移インク。
【請求項９】
フォトクロミック材料が、ジアリールエテン、スピロピランおよびスピロオキサジン、フルギドおよびフルギミド、スチルベン、芳香族アゾ化合物、キノン、ペルミジンスピロシクロヘキサジエンオン、ビオロゲン、トリアリールメタン、アニル、ならびにこれらの混合物からなる群から選択される、請求項１〜請求項８のいずれか１項に記載の相転移インク。
【請求項１０】
フォトクロミック材料が、ＵＶ光に曝された後、１秒〜１月の期間、変化状態のままである、請求項１〜請求項９のいずれか１項に記載の相転移インク。
【請求項１１】
フォトクロミック材料が、ＵＶ光に曝された後、１秒〜１日の期間、変化状態のままである、請求項１〜請求項１０のいずれか１項に記載の相転移インク。
【請求項１２】
フォトクロミック材料が、可視光または熱へ曝された後、初期状態に戻る、請求項１〜請求項１１のいずれか１項に記載の相転移インク。
【請求項１３】
１４０℃の温度で粘度が１２ｃＰ未満であり、かつ室温で粘度が１×１０６ｃＰを超える結晶性成分と、
１４０℃の温度で粘度が１００ｃＰ未満であり、かつ室温で粘度が１×１０６ｃＰを超えるアモルファス成分と、
フォトクロミック材料と、
顔料、染料、およびこれらの混合物からなる群から選択される着色剤と、
を含む相転移インク。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
【化１】
2014136801.tif 000001
の式を有するゲル化剤であって、
式中、各Ｒ１およびＲ２は独立して、アルキル、アリール、アリールアルキル、アルカリルまたはハロゲンであり、ｍは１〜１０であり、ｎは１〜１０である、ゲル化剤。
【請求項２】
各Ｒ１およびＲ２が独立して、アルキルまたはアリールである、請求項１に記載のゲル化剤。
【請求項３】
各Ｒ１およびＲ２が独立して、メチル、エチル、ｎ−プロピル、イソプロピル、ｎ−ブチル、ｉ−ブチル、ｔ−ブチルまたは任意に置換されたフェニルである、請求項１に記載のゲル化剤。
【請求項４】
ｍは１であり、ｎは１である、請求項１に記載のゲル化剤。
【請求項５】
Ｒ１およびＲ２は同じではない、請求項４に記載のゲル化剤。
【請求項６】
Ｒ１およびＲ２は同じである、請求項４に記載のゲル化剤。
【請求項７】
Ｒ１およびＲ２は双方とも、ｔ−ブチルまたはフェニルである、請求項４に記載のゲル化剤。
【請求項８】
Ｒ１およびＲ２は、それぞれ対応するシクロヘキサン環の４位の炭素に結合している、請求項４に記載のゲル化剤。
【請求項９】
【化２】
2014136801.tif 000002
の式を有する、請求項１に記載のゲル化剤。
【請求項１０】
【化３】
2014136801.tif 000003
の式を有するゲル化剤であって、
式中、Ｒ１およびＲ２は双方とも、ｔ−ブチルまたはフェニルである、ゲル化剤。
【請求項１１】
賦形剤と、
【化４】
2014136801.tif 000004
の式を有するゲル化剤と、
を含む相転移インクであって、
式中、各Ｒ１およびＲ２は独立して、アルキル、アリール、アリールアルキル、アルカリルまたはハロゲンであり、ｍは１〜５であり、ｎは１〜５である、相転移インク。
【請求項１２】
各Ｒ１およびＲ２が独立して、アルキルまたはアリールである、請求項１１に記載の相転移インク。
【請求項１３】
各Ｒ１およびＲ２が独立して、メチル、エチル、ｎ−プロピル、イソプロピル、ｎ−ブチル、ｉ−ブチル、ｔ−ブチルまたは任意に置換されたフェニルである、請求項１１に記載の相転移インク。
【請求項１４】
ｍは１であり、ｎは１である、請求項１１に記載の相転移インク。
【請求項１５】
Ｒ１およびＲ２は双方とも、ｔ−ブチルである、請求項１３に記載の相転移インク。
【請求項１６】
Ｒ１およびＲ２は双方とも、フェニルである、請求項１３に記載の相転移インク。
【請求項１７】
Ｒ１およびＲ２は、それぞれ対応するシクロヘキサン環の４位の炭素に結合している、請求項１３に記載の相転移インク。
【請求項１８】
ゲル化剤が、
【化５】
2014136801.tif 000005
の式を有するゲル化剤である、請求項１１に記載の相転移インク。
【請求項１９】
ゲル化剤が、相転移インクの総重量の０．２５重量％〜１０重量％の量で存在する、請求項１１に記載の相転移インク。
【請求項２０】
ゲル化剤が、賦形剤の０．５重量％〜１０重量％の濃度にて、滴点が４０℃〜７０℃のゲルを形成することができる、請求項１１に記載の相転移インク。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
修飾ポリオールを含むアモルファス成分と；
結晶性成分と；
を含むインク組成物であって：
該修飾ポリオールは、アルジトールビスアセタールと少なくとも３５重量％のバイオ再生可能物含量と、を含む、インク組成物。
【請求項２】
前記修飾ポリオールのバイオ再生可能物含量が、５０重量％から７０重量％の範囲である、請求項１に記載のインク組成物。
【請求項３】
前記インク組成物は、１４０℃にて４から１２センチポイズの範囲の粘度である、請求項１に記載のインク組成物。
【請求項４】
前記修飾ポリオールが、式Ｉの化合物であって：
【化１】
2014136802.tif 000001
式中、Ｒ１、Ｒ２、Ｒ３およびＲ４はそれぞれ独立して、任意に置換されたＣ１〜Ｃ４アルキルを含み、またはＲ１およびＲ２、ならびにＲ３およびＲ４はそれぞれ連結して環を形成し、独立して、五員環または六員環シクロアルキル基を含み、各五員環または六員環シクロアルキル基は、任意で、分岐鎖もしくは直鎖アルキル、アリール、アリールアルキル、アルキルアリールまたはハロゲンで置換されている、化合物を含む、請求項１に記載のインク組成物。
【請求項５】
前記式Ｉにおいて、Ｒ１とＲ２、Ｒ３とＲ４のそれぞれは、シクロヘキシル基を含む、請求項４に記載のインク組成物。
【請求項６】
前記シクロヘキシル基は、独立して、メチル、エチル、ｎ−プロピル、イソプロピル、ｎ−ブチル、ｉ−ブチル、ｔ−ブチル、及び任意に置換されたフェニルからなる群より選ばれる置換基を含む、請求項５に記載のインク組成物。
【請求項７】
前記シクロヘキシル基は、それぞれ、ｔ−ブチル基で置換されている、請求項５に記載のインク組成物。
【請求項８】
前記シクロヘキシル基は、それぞれ、フェニル基で置換されている、請求項５に記載のインク組成物。
【請求項９】
前記シクロヘキシル基は、それぞれ、メチル基で置換されている、請求項５に記載のインク組成物。
【請求項１０】
前記シクロヘキシル基の被置換位置は、それぞれ、前記シクロヘキシル基の４位である、請求項５に記載のインク組成物。
【請求項１１】
前記修飾ポリオールが、式ＩＩの化合物を含み：
【化２】
2014136802.tif 000002
式中、Ｒ５およびＲ６は、メチル、エチル、ｎ−プロピル、イソプロピル、ｎ−ブチル、ｉ−ブチル、ｔ−ブチル、または任意に置換されたフェニルからなる群より選択される置換を含み、ｍおよびｎは、独立して、０から３の整数である、請求項１に記載のインク組成物。
【請求項１２】
前記アモルファス成分が、５から４０重量パーセントの量で存在する、請求項１に記載のインク組成物。
【請求項１３】
前記結晶性成分が、式ＩＩＩのジエステル化合物を含み：
【化３】
2014136802.tif 000003
式中、ＲおよびＲ’は同じであっても異なってもよく、ＲおよびＲ’はそれぞれ独立して、飽和脂肪族基またはエチレン性不飽和脂肪族基を含む、請求項１に記載のインク組成物。
【請求項１４】
前記結晶性成分が、ジステアリルテレフタレートを含む、請求項９に記載のインク組成物。
【請求項１５】
前記結晶性成分が、５０から９５重量パーセントの量で存在する、請求項１に記載のインク組成物。
【請求項１６】
更に着色剤を含む、請求項１に記載のインク組成物。
【請求項１７】
Ｄ−マンニールビスアセタールを含むアモルファス成分と；
結晶性成分と；
着色剤と、を含む、インク組成物。
【請求項１８】
前記Ｄ−マンニールビスアセタールが５０重量％から７０重量％の範囲のバイオ再生可能物含量を含む、請求項１７に記載のインク組成物。
【請求項１９】
修飾ポリオールを含むアモルファス成分と；
結晶性成分と；
を含むインク組成物であって：
該修飾ポリオールは、少なくとも３５重量％の範囲のバイオ再生可能物含量を含む、インク組成物。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
治療薬を投与するための涙点プラグであって、
眼の下又は上涙小管内に挿入するのに適した寸法及び形状を有し、空洞を備える涙点プラグ本体と、
涙点プラグ本体上に配置され前記空洞を密封する密封蓋と、
前記涙点プラグ本体の空洞内に配置されたエネルギー源と、
前記密封蓋上に、薬剤を収容するように構成された収容セルのアレイと、
前記収容セルのアレイおよびエネルギー源と論理的および電気的に連絡し、前記収容セルの1つに電流を加えて選択的に前記治療薬を放出するように構成された制御部と、
を備え、
前記制御部は、振動子と、計数器と、多重変換装置とを備え、前記振動子は前記計数器の値を増加させ、前記計数器は前記多重変換装置に計数を出力し、前記多重変換装置は前記計数を前記収容セルのアドレスにデコードするように構成され、
前記収容セルのアレイのそれぞれの収容セルは、電流が印加されるとその収容セルの内容物を露出させる可溶性のカバーを含む、涙点プラグ。
【請求項２】
請求項１に記載の涙点プラグであって、
前記制御部は、前記収容セルを規定時に起動するように構成されている、涙点プラグ。
【請求項３】
請求項１に記載の涙点プラグであって、
電流を前記制御部によって選択された収容セル送るように構成された相互接続回路を更に備える、涙点プラグ。
【請求項４】
請求項１に記載の涙点プラグであって、
前記相互接続回路は、それぞれへのアドレス可能な接続を定義する複数のワード線とビット線を備える、涙点プラグ。
【請求項５】
請求項１に記載の涙点プラグであって、
それぞれの前記可溶性カバーは、前記収容セルの上に密封シールを形成する、涙点プラグ。
【請求項６】
請求項１に記載の涙点プラグであって、
前記制御部はパルス型薬剤送達を行うように構成されている、涙点プラグ。
【請求項７】
請求項１に記載の涙点プラグであって、
前記エネルギー源は電池である、涙点プラグ。
【請求項８】
治療薬を投与するための涙点プラグであって、
眼の下又は上涙小管内に挿入するのに適した寸法及び形状を有し、空洞を備える涙点プラグ本体と、
前記涙点プラグ本体に前記空洞を密封するために取り付けられた頂部と、
前記空洞内に配置されたエネルギー源と、
前記頂部内に形成された収容セルのアレイであって、それぞれの収容セルは薬剤を収容し、起動信号を受信すると薬剤を放出するように構成された、前記収容セルのアレイと、
前記エネルギー源と電気的に連絡する制御部であって、前記起動信号を前記収容セルへ経路づける論理的指示を与えるように構成されている前記制御部と、
を備える、涙点プラグ。
【請求項９】
請求項８に記載の涙点プラグであって、
前記涙点プラグが眼の中にあることを認識できるように構成されたセンサーをさらに備える、涙点プラグ。
【請求項１０】
請求項９に記載の涙点プラグであって、
前記センサーは、涙点プラグが眼の中に挿入されたことを検知すると前記制御部を起動する、涙点プラグ。
【請求項１１】
治療薬を持続的に投与するための涙点プラグの製造方法であって、
薬剤を収容するように構成された収容セルのアレイを形成することと、
眼の下又は上涙小管内に挿入するのに適した寸法及び形状を有し、空洞を備える涙点プラグ本体を形成することと、
前記涙点プラグ本体の空洞内にエネルギー源を組み込むことと、
前記収容セルのアレイが前記エネルギー源に電気的に連絡するように前記収容セルのアレイを前記涙点プラグ本体に取り付けることと、を含む涙点プラグの製造方法。
【請求項１２】
請求項１１に記載の製造方法であって、
前記収容セルのアレイを前記涙点プラグ本体に取り付けることは、前記空洞内に前記エネルギー源を封止することを含む、製造方法。
【請求項１３】
請求項１１に記載の製造方法であって、
前記収容セルのアレイを形成することは、
ワード線とビット線から形成される電気配線の格子を半導体基板上に形成することと、
前記ワード線とビット線の交点の付近において前記半導体基板に収容セルをエッチングすることと、
前記収容セルに薬剤を充填することと、
前記収容セルを可溶性の材料でカバーすることと、
を含む、製造方法。
【請求項１４】
請求項１１に記載の製造方法であって、
前記エネルギー源と前記収容セルのアレイとの間に電気接続を形成すること、をさらに含む、製造方法。
【請求項１５】
請求項１４に記載の製造方法であって、
前記電気接続を形成することは、前記収容セルへの電流の印加とタイミングを制御する制御部を組み込むことをさらに含む、製造方法。
【請求項１６】
請求項１５に記載の製造方法であって、
電気接続を形成することは、前記涙点プラグが眼の中にあることを認識できるように構成されたセンサーを組み込むことをさらに含む、製造方法。
【請求項１７】
請求項１６に記載の製造方法であって、
前記センサーは、涙点プラグが眼の中に挿入されたことを検知すると前記制御部を起動する、製造方法。
【請求項１８】
請求項１１に記載の製造方法であって、
前記エネルギー源を組み込むことは、
前記空洞内に陽極を配置することと、
前記空洞内に電解液を配置することと、
前記空洞内に陰極を配置することと、
を含む、製造方法。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
予め定められた判定条件の成立に起因して当否判定を行う当否判定手段と、
前記当否判定手段による当否判定結果を報知する判定結果報知演出を行う報知演出手段と、
前記当否判定の判定結果に起因して、遊技者の利益増加の契機となる利益増加イベントを実行すると共に、前記利益増加イベントの実行後、遊技者に有利な特典遊技状態を付与する利益増加イベント実行手段と、
前記当否判定の判定結果に起因して、前記利益増加イベントと異なるダミーイベントを実行するダミーイベント実行手段とを備え、
前記特典遊技状態が、前記利益増加イベントの実行後に、前記当否判定の連続外れが予め定められた連続外れ上限回数に達するまで継続される遊技機において、
前記当否判定の連続外れが、前記利益増加イベントの実行後から前記連続外れ上限回数に達する迄の途中段階に連続外れ途中規定回数が予め設定されると共に、前記途中段階より前の初期段階にイベント直後規定回数が予め設定され、
前記報知演出手段は、前記連続外れ途中規定回数を境にして、前記判定結果報知演出の内容を変更すると共に、前記利益増加イベントの実行後から前記イベント直後規定回数までの間と、前記ダミーイベントの実行後から前記イベント直後規定回数までの間とのぞれぞれで特殊な前記判定結果報知演出を行う遊技機。
【請求項２】
前記特典遊技状態より遊技者にとって特典が少ない遊技状態で前記報知演出手段が実行する前記判定結果報知演出の内容と、前記特典遊技状態で前記連続外れ途中規定回数以降に前記報知演出手段が実行する前記判定結果報知演出の内容とが近似している請求項１に記載の遊技機。
【手続補正２】
【補正対象書類名】明細書
【補正対象項目名】０００２
【補正方法】変更
【補正の内容】
【０００２】
従来、この種の遊技機は、遊技状態が昇格すると、それに伴う特別な演出を行って遊技者に興奮と喜びを与える構成になっている（例えば、特許文献１参照）。
【手続補正３】
【補正対象書類名】明細書
【補正対象項目名】０００４
【補正方法】変更
【補正の内容】
【０００４】
しかしながら、上記した従来の遊技機では、遊技状態の昇格は頻繁に行われないので、その昇格に伴う興奮と喜びの感覚が薄れ、遊技に対する興味が低下するという問題が起こり得た。また、遊技状態の昇格が頻繁に行われるようにすると、遊技機を所有する遊技ホールの利益が下がるという問題が生じる。
【手続補正４】
【補正対象書類名】明細書
【補正対象項目名】０００５
【補正方法】変更
【補正の内容】
【０００５】
本発明は、上記事情に鑑みてなされたもので、遊技状態の昇格に伴う興奮と喜びの感覚を従来より長く維持することが可能な遊技機の提供を目的とする。
【手続補正５】
【補正対象書類名】明細書
【補正対象項目名】０００６
【補正方法】変更
【補正の内容】
【０００６】
上記目的を達成するためになされた請求項１の発明に係る遊技機は、予め定められた判定条件の成立に起因して当否判定を行う当否判定手段と、前記当否判定手段による当否判定結果を報知する判定結果報知演出を行う報知演出手段と、前記当否判定の判定結果に起因して、遊技者の利益増加の契機となる利益増加イベントを実行すると共に、前記利益増加イベントの実行後、遊技者に有利な特典遊技状態を付与する利益増加イベント実行手段と、前記当否判定の判定結果に起因して、前記利益増加イベントと異なるダミーイベントを実行するダミーイベント実行手段とを備え、前記特典遊技状態が、前記利益増加イベントの実行後に、前記当否判定の連続外れが予め定められた連続外れ上限回数に達するまで継続される遊技機において、前記当否判定の連続外れが、前記利益増加イベントの実行後から前記連続外れ上限回数に達する迄の途中段階に連続外れ途中規定回数が予め設定されると共に、前記途中段階より前の初期段階にイベント直後規定回数が予め設定され、前記報知演出手段は、前記連続外れ途中規定回数を境にして、前記判定結果報知演出の内容を変更すると共に、前記利益増加イベントの実行後から前記イベント直後規定回数までの間と、前記ダミーイベントの実行後から前記イベント直後規定回数までの間とのぞれぞれで特殊な前記判定結果報知演出を行うところに特徴を有する。
【手続補正６】
【補正対象書類名】明細書
【補正対象項目名】０００７
【補正方法】変更
【補正の内容】
【０００７】
請求項２の発明は、請求項１に記載の遊技機において、前記特典遊技状態より遊技者にとって特典が少ない遊技状態で前記報知演出手段が実行する前記判定結果報知演出の内容と、前記特典遊技状態で前記連続外れ途中規定回数以降に前記報知演出手段が実行する前記判定結果報知演出の内容とが近似しているところに特徴を有する。
【手続補正７】
【補正対象書類名】明細書
【補正対象項目名】０００８
【補正方法】変更
【補正の内容】
【０００８】
請求項１の遊技機では、利益増加イベントの実行後、特殊な判定結果報知演出が実行されるので、特殊な判定結果報知演出と遊技者にとっての利益の増加とが強く結びつけられる。即ち、特殊な判定結果報知演出が行われると、それに関連した遊技中の事象は利益の増加に繋がるという、所謂、「すりこみ」が行われる。そして、特殊な判定結果報知演出が、ダミーイベントの実行後にも実行されるので、ダミーイベントの実行により、遊技状態の昇格に伴う興奮と喜びの感覚を呼び起される。つまり、本発明によれば、遊技状態の昇格に伴う興奮と喜びの感覚を従来より長く維持することができる。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技者の動作を検出可能であって、第１状態から第２状態へ変化可能な動作検出手段と、
前記動作検出手段による遊技者の動作の検出が有効であることを報知する報知演出実行手段と、を備え、
前記報知演出実行手段は、前記報知として、前記動作検出手段が前記第２状態となったときに、前記動作検出手段が前記第２状態であることを示す画像を表示することが可能である
ことを特徴とする遊技機。
【手続補正２】
【補正対象書類名】明細書
【補正対象項目名】０００１
【補正方法】変更
【補正の内容】
【０００１】
本発明は、遊技が可能な遊技機に関する。
【手続補正３】
【補正対象書類名】明細書
【補正対象項目名】０００６
【補正方法】変更
【補正の内容】
【０００６】
本発明は、このような問題点に着目してなされたもので、遊技者の興味を引き付けて意欲を高めることができる遊技機を提供することを目的とする。
【手続補正４】
【補正対象書類名】明細書
【補正対象項目名】０００７
【補正方法】変更
【補正の内容】
【０００７】
前記課題を解決するために、本発明の請求項１に記載の遊技機は、
遊技が可能な遊技機であって、
遊技者の動作を検出可能であって、第１状態から第２状態へ変化可能な動作検出手段と、
前記動作検出手段による遊技者の動作の検出が有効であることを報知する報知演出実行手段と、を備え、
前記報知演出実行手段は、前記報知として、前記動作検出手段が前記第２状態となったときに、前記動作検出手段が前記第２状態であることを示す画像を表示することが可能である
ことを特徴としている。
本発明の手段Ａの遊技機は、
遊技者による操作を受付けたことに応じて所定の演出を実行する遊技機であって、
遊技者が操作可能に設けられた操作部材と、
遊技者から視認可能に設けられた可動部材と、
前記操作部材が操作されることによって操作を受付ける操作受付け手段と、
前記可動部材を、該可動部材の所定部位が前記操作部材の所定部位に対し近接または当接する第１状態と該第１状態よりも前記可動部材の所定部位が前記操作部材の所定部位に対し所定方向に離れる第２状態とに変化させる可動制御手段と、
画像を表示可能な表示手段と、
を備え、
前記操作受付け手段は、前記可動部材が前記第１状態であるときと前記可動部材が前記第２状態であるときとで、前記操作部材が操作されたときに該操作を有効に受付け、
前記可動制御手段は、遊技者にとって有利な状態に制御することが決定している場合、決定していない場合よりも高い割合で前記可動部材を前記第２状態から前記第１状態に変化させ、
前記表示手段は、前記可動部材の状態に応じた特定画像として、前記可動部材が前記第２状態から前記第１状態に変化しなかったことを示す第１特定画像と、前記可動部材が前記第２状態から前記第１状態に変化したことを示す第２特定画像と、を表示可能である
ことを特徴としている。
本発明の手段１の遊技機は、
遊技者による操作を受付けたことに応じて所定の演出（例えば、可動演出やカットイン演出などの操作後演出）を実行する遊技機（パチンコ遊技機１）であって、
遊技者が操作可能に設けられた操作部材（プッシュボタン５２０／１５２０／２５２０／３５２０）と、
遊技者から視認可能に設けられた可動部材（可動部材５２１Ｌ，５２１Ｒ／１５２１／５２１／３５２１）と、
前記操作部材が操作されることによって操作を受付ける操作受付け手段（スーパーリーチ演出を開始してから所定期間が経過した時点から所定期間（ｔａ４〜ｔａ６、ｔｂ４〜ｔｂ６）にわたり操作受付期間とする処理を実行する演出制御用ＣＰＵ１２０など）と、
前記可動部材を、該可動部材の所定部位（凹状壁５２１ａ／上面１５２１ａ／側面２５２１ａ／先端面３５２１ａ）が前記操作部材の所定部位（側面５２０ｊ／上面１５２０ａ／側面２５２０ａ／側面３５２０ａ）に対し近接または当接する第１状態（合体位置にある状態）と該第１状態よりも前記可動部材の所定部位が前記操作部材の所定部位に対し所定方向（左右方向）に離れる第２状態（非合体位置にある状態）とに変化（スライド移動）させる可動制御手段（ソレノイド５１７Ｌ，５１７Ｒを励磁または解除してリンク部材５１７ｃを介して可動部材５２１Ｌ，５２１Ｒを移動させる演出制御用ＣＰＵ１２０など）と、
を備え、
前記操作受付け手段は、前記可動部材が前記第１状態であるときと前記可動部材が前記第２状態であるときとで、前記操作部材が操作されたときに該操作を有効に受付ける（演出制御用ＣＰＵ１２０は、合体演出が行われた後の所定時点（ｔａ４）でも、合体演出が行われていない所定時点（ｔｂ４）でも、操作受付期間を開始する処理を実行する、図１２参照）
ことを特徴としている。
この特徴によれば、遊技者の興味を引き付けて意欲を高めることができるので、遊技の興趣が向上する。